(57)【要約】  本明細書では、装着されているときおよび使用者の頭と接触しているときに生体認証データを検出するセンサを有する眼鏡に関する説明が記載されている。該眼鏡は、レンズ（４）をそれぞれ支持する前部マウント（２）と、鼻用支持装置（５ａ）と、前部マウント（２）の両側にそれぞれ連結された１対のアーム（６）と、を有するフレームを備える。各アーム（６）は、前部マウントに連結された第１の端部（６ａ）と反対側の第２の端部（６ｂ）との間でそれぞれ長手方向に延在する。第２の端部（６ｂ）の近傍で、アーム終端部分（１０）が使用者の耳の領域において頭と接触することができる。各アーム（６）は、第２の端部（６ｂ）から、耳介用センサ（８）を支持することができる柔軟な材料から形成されたアームセクション（１１）まで延在し、その柔軟性によって、アームセクション（１１）は、センサ（８）が使用者の耳甲介内に配置される動作位置と、アームセクション（１１）によって支持されるセンサ（８）がアーム終端部分（１０）上に取り外し可能に保持される非動作位置と、の間を移動することができる。【選択図】図１
2020522756.tif 000002
【特許請求の範囲】
【請求項１】
装着されているときおよび使用者の頭と接触しているときに生体認証データを検出するセンサを備えた眼鏡であって、
レンズ（４）をそれぞれ支持する前部マウント（２）と、鼻用支持装置（５ａ）と、前記前部マウント（２）の両側にそれぞれ連結された１対のアーム（６）と、を有するフレームを備え、
前記アーム（６）は、前記前部マウント（２）に連結された第１の端部（６ａ）と反対側の第２の端部（６ｂ）との間でそれぞれ長手方向に延在し、前記第２の端部（６ｂ）の近傍で、前記アームの終端部分（１０）が使用者の耳の領域において頭と接触することができ、
前記アーム（６）は、前記第２の端部（６ｂ）から、耳介用センサ（８）を支持することができる柔軟な材料から形成されたアームセクション（１１）までそれぞれ延在し、その柔軟性によって、前記アームセクション（１１）は、前記センサ（８）が使用者の耳甲介内に配置される動作位置と、前記アームセクション（１１）によって支持される前記センサが前記アーム終端部分（１０）上に取り外し可能に保持される非動作位置と、の間を移動することができることを特徴とする、
眼鏡。
【請求項２】
少なくとも前記アームセクション（１１）は、導電性ゴムから形成される、
請求項１に記載の眼鏡。
【請求項３】
少なくとも前記アームセクション（１１）は、弾性的に変形可能な材料から形成される、
請求項１または２に記載の眼鏡。
【請求項４】
前記アームセクション（１１）は、前記第２の端部（６ｂ）と、反対側の前記セクション（１１）の自由端部（１１ａ）との間で長手方向に延在する主延在部を有し、前記センサ（８）は、前記自由端部（１１ａ）において、前記アームセクション（１１）上で支持される、
請求項１〜３のいずれか１項に記載の眼鏡。
【請求項５】
前記センサ（８）は、導電性ゴムの射出成形プロセスによって、前記アームセクション（１１）と一体に形成される、
請求項１〜４のいずれか１項に記載の眼鏡。
【請求項６】
前記センサ（８）は、導電性ゴムの熱圧縮成形プロセスによって、前記アームセクション（１１）と一体に形成される、
請求項１〜４のいずれか１項に記載の眼鏡。
【請求項７】
前記センサ（８）は、導電性ゴムの流し込みによる成形プロセスによって、前記アームセクション（１１）と一体に形成される、
請求項１〜４のいずれか１項に記載の眼鏡。
【請求項８】
前記センサ（８）または前記アームセクション（１１）が前記アーム終端部分（１０）上で第２の前記非動作位置に保持されるように、前記センサ（８）または前記アームセクション（１１）は、前記アーム（６）に設けられた対応する座部（２０）内で係合することができる、
請求項１〜７のいずれか１項に記載の眼鏡。
【請求項９】
前記センサ（８）と前記座部（２０）との間には、スナップイン式結合または圧力結合が提供される、
請求項８に記載の眼鏡。
【請求項１０】
前記センサ（８）が前記アーム終端部分（１０）上で第２の前記非動作位置に保持されるように、前記センサ（８）には、前記アーム終端部分（１０）に設けられた枝部（２６）と係合するための凹部（２５）が設けられる、
請求項１〜７のいずれか１項に記載の眼鏡。
【請求項１１】
前記センサ（８）は、前記アームセクション（１１）と一体に形成されたリング（２９）の形状を有し、前記リングの開口（３０）において、前記センサ（８）とは機能的に異なる別個の耳介用装置（３１）が取り外し可能に保持される、
請求項１〜１０のいずれか１項に記載の眼鏡。
【請求項１２】
前記アーム終端部分（１０）は、導電性ゴムから形成される、
請求項１〜１１のいずれか１項に記載の眼鏡。
【請求項１３】
前記アーム終端部分（１０）は、少なくとも部分的に前記アーム終端部分（１０）に埋め込まれる導電性金属材料から形成されたコア（１４）上にオーバーモールドされる、
請求項５および１２に記載の眼鏡。
【請求項１４】
前記コア（１４）は、前記アーム終端部分（１０）の係合枝部（１５）内まで延在し、前記センサ（８）が検出した前記信号を伝送するように、前記アーム（６）に収容された電気回路と電気的に接続可能である、
請求項１３に記載の眼鏡。
【請求項１５】
前記アーム（６）の少なくとも一方は、再閉鎖可能なハウジング（１７）を有し、前記ハウジング（１７）は、前記センサ（８）が検出した信号を伝送するように前記コア（１４）と電気的に接続される電子モジュール（１６）を受容することができ、前記枝部（１５）は、前記コア（１４）と前記電子モジュール（１６）とを電気的に接続するように、前記ハウジング（１７）内に突出する、
請求項１３に記載の眼鏡。
【請求項１６】
前記アーム（６）の他方は、前記電子モジュール（１６）に電力を供給するバッテリ（１９）を受容する対応するハウジングを有する、
請求項１５に記載の眼鏡。
【発明の詳細な説明】
【技術分野】
【０００１】
本発明は、装着されているときおよび使用者の頭と接触しているときに生体認証データを検出するセンサを備えた眼鏡に関する。該眼鏡は、主請求項１の前提部に記載の特徴を有する。
【背景技術】
【０００２】
より一般的に、前部フレームおよび／または側方アームにバイオセンサが組み込まれた眼鏡が知られている。「バイオセンサ」という用語は、着用者の頭の特定の表面領域との局所的接触手段によって、例えば心臓や脳の機能のような生体機能の生体測定値に相関する信号を検出することができるセンサを意味する。
【０００３】
このタイプのセンサを眼鏡のフレームに使用することは、特に生体機能の診断から得られる潜在的に有利な用途のために、広く普及しつつある。実際、眼鏡のフレームと一体化された適切なセンサが検出することができるこれらの機能の状態を知ることで、有利には個人の精神／身体状態の制御および監視に介入して、その個人の健康および安全を脅かす状況を適宜修正または通知することができる。例えば、仕事、スポーツまたはレクリエーション活動に起因するストレスおよびより一般的には疲労の状態を監視することができる。眼鏡が装着されているときに、センサがこめかみの領域、または耳の後ろの領域、または耳垂自体、または鼻の領域の接触面と接触するよう配置される眼鏡フレームへのセンサの適用が知られている。
【０００４】
また、眼鏡のフレームに適用される様々なタイプのセンサも知られている。例えば、透過または反射した放射線（例えば赤外線）に基づいて動作するセンサや、（例えば圧電材料から形成された）圧力センサとして動作するセンサが使用されている。これらの解決策は、通常、ある程度の複雑さおよび多数の構成要素を有し、且つ作製された装置全体のサイズが大きいことを特徴とする。その結果、眼鏡の装着感は悪く、フレームの全体的な外観を損なう可能性がある。
【０００５】
別の特定の既知のタイプのセンサは、導電性材料から形成された電極からなる、電気信号を検出するのに適したセンサに関する。
【０００６】
本発明は、電気信号のためのセンサ、特に心臓の機能（心拍および／または心電図）および／または脳の機能（脳波）に関する生体認証データを検出するためのセンサを、眼鏡フレームと一体化する特定の技術分野に含まれ、より具体的には、耳介内に配置されるように設計された（また、当該技術分野において「インイヤー（耳内）」センサとしても知られる）耳介用センサの特定の使用に関する。
【発明の概要】
【発明が解決しようとする課題】
【０００７】
この特定の概念において、本発明の主な目的は、上述したタイプのバイオセンサを備えた眼鏡を提供することである。これらの眼鏡は、従来技術で既知の技術的解決策を改善するように構造的および機能的に設計され、また、単純な構造を有し、構成要素の数が少なく、製造および使用が容易であり、特にセンサが耳と局所的に接触しているときに非常に快適に装着することができることを特徴とする。
【０００８】
本発明の別の目的は、真のセンサではない追加の装置すなわち様々な耳介用装置と組み合わされて構成された且つ生体機能を検出することができる上述したタイプのセンサを有する眼鏡を作製することである。このような装置の例として、一般に音楽やオーディオコンテンツを聴くためのオーディオイヤホンや、聴覚に関する問題を補正するため（例えば難聴者向け）の補助的音響装置が挙げられる。
【課題を解決するための手段】
【０００９】
上述した目的および以下で明らかになるその他の目的は、添付の特許請求の範囲に従って作製された眼鏡から構成される本発明によって達成される。
【図面の簡単な説明】
【００１０】
本発明の特徴および利点は、添付の図面を参照して非限定的に示すいくつかの好ましい実施形態の以下の詳細な説明からより明らかになるであろう。
【図１】本発明による眼鏡の一実施例の斜視図である。
【図２】特定の動作状態にある図１の眼鏡の側面図である。
【図３】図２とは異なる動作状態にある図１の眼鏡の側面図である。
【図４】図１〜図３の眼鏡の詳細の拡大側面図である。
【図５】図１〜図３の眼鏡の詳細を上から見た拡大平面図である。
【図６】図２の切断線ＩＩ−ＩＩにおける拡大断面図である。
【図７】図１の眼鏡の側方アームの側面図である。
【図８】特定の動作状態にある本発明による眼鏡のさらなる実施例の側面図である。
【図８Ａ】図８とは異なる動作状態にある眼鏡の側面図である。
【図９】特定の動作状態にある本発明による眼鏡のさらなる実施例の側面図である。
【図９Ａ】図９とは異なる動作状態にある眼鏡の側面図である。
【図１０】特定の動作状態にある本発明による眼鏡のさらなる実施例の側面図である。
【図１０Ａ】図１０とは異なる動作状態にある眼鏡の側面図である。
【図１１】特定の動作状態にある本発明による眼鏡のさらなる実施例の側面図である。
【図１１Ａ】図１１とは異なる動作状態にある眼鏡の側面図である。
【図１２】特定の動作状態にある本発明による眼鏡のさらなる実施例の側面図である。
【図１２Ａ】図１２とは異なる動作状態にある眼鏡の側面図である。
【図１３】図１２の実施例の詳細の拡大側面図である。
【図１４】図１２の実施例の詳細を上から見た拡大平面図である。
【図１５】特定の動作状態にある本発明による眼鏡のさらなる実施例の側面図である。
【図１５Ａ】図１５とは異なる動作状態にある眼鏡の側面図である。
【図１６】図１５の実施例の詳細の拡大側面図である。
【図１７】図１５の実施例の詳細の拡大側面図である。
【図１８】特定の動作状態にある本発明による眼鏡のさらなる実施例の側面図である。
【図１８Ａ】図１８とは異なる動作状態にある眼鏡の側面図である。
【図１９】図１８の実施例の詳細の拡大側面図である。
【図２０】図１８の実施例の詳細を上から見た拡大平面図である。
【図２１】図１８の実施例のさらなる詳細を示す一実施形態の側面図である。
【図２２】図２１とは異なる実施形態の側面図である。
【図２３】図２１および図２２とは異なる実施形態の側面図である。
【図２４】図１１Ａの切断線ＸＩ−ＸＩにおける、図示した詳細の一実施形態に関する拡大断面図である。
【図２５】図２４とは異なる実施形態に関する拡大断面図である。
【図２６】図１６の切断線ＸＶＩ−ＸＶＩにおける、図示した詳細の一実施形態に関する拡大断面図である。
【図２７】図２６とは異なる実施形態に関する拡大断面図である。
【発明を実施するための形態】
【００１１】
まず、図１〜図６を参照すると、参照符号１は、本発明に従って作製されたバイオセンサを有する眼鏡の一実施例を全体として示す。本明細書における「バイオセンサ」という用語は、特定の生体機能の生体測定値に相関する信号を検出するのに適した、電気信号のためのセンサを意味する。このタイプのセンサは、特に心拍または心電図（ＥＣＧ）または脳波（ＥＥＧ）を検出するように設計される。
【００１２】
眼鏡１は、前部マウント２と、対応するレンズ４をそれぞれ支持する１対のリム３とを有するフレームを備える。リムは、鼻の領域において延在するブリッジ５によって、中央で互いに接続される。参照符号６は、眼鏡の両方の側方アームを示す。側方アーム６は、蝶番によって、前部マウント２の両側に設けられた前部片７とそれぞれ連結する。ブリッジ５には、鼻の上でフレームを正面から支持する鼻用支持装置５ａが設けられる。
【００１３】
眼鏡１には、耳介用センサ８が設けられる。センサは、耳甲介（concha of the auricle）内に動作可能に配置されるように設計され、以下でより詳細に説明するように、側方アーム６に取り付けられる。
【００１４】
センサ８は、電極として機能的に設計される。これは、皮膚と接触しているときに、電気信号を検出して、フレーム内に適切に配置された電気信号電導システムを介してその信号が伝達されるように設計される。
【００１５】
両側のアームが（互いに鏡面対称の構造を有するように作製されるが）同一の構造的性質を有することを考慮して、以下では、対応するセンサ８が設けられた側方アーム６の一方のみを詳細に説明する。
【００１６】
アーム６は、マウント２の対応する前部片７と連結する第１の端部（end）６ａと、反対側の第２の端部（end）６ｂとの間で、主に長手方向に延在する。アームには、端部６ａから、アーム終端部分（end portion）１０を介して端部６ｂまで延在するアームの一部分（arm part）９が画定される。当該部分１０は、端部６ｂの近傍で、使用者の耳の後ろの頭の領域と接触することができる。
【００１７】
アーム６および特にその終端部分１０は、さらに端部６ｂからアームのさらなるセクション１１まで延在する。セクション１１は、セクション自体の反対側の自由端部１１ａにおいて、センサ８を支持する。
【００１８】
有利には、アームセクション１１は、所定のレベルの弾性変形能を有する柔軟な材料から形成される。これにより、セクション１１は、変形されると、皮膚と接触する信号を検出するためにセンサ８が耳甲介内に配置される動作位置と、アームセクション１１がアーム終端部分１０に向けて戻される非動作位置との間を移動することができる。好ましくは、非動作位置において、アームセクション１１は、例えば所定の距離をおいて終端部分１０と隣接する位置に維持される。また、センサ８を支持するアームセクション１１の端部１１ａも、適切な結合システムによって、アーム終端部分１０上に取り外し可能に保持される。
【００１９】
耳介用構成を有するセンサ８は、例えば導電特性を有するエラストマまたはゴムのような導電性材料から形成される。これにより、第１に、皮膚と接触するように配置された際の快適さと適応性が確保され、第２に、電極の機能を実行して対応する信号を検出することができる。また、センサ８は、例えば外耳道の開口部の近傍において耳介内に正確且つ適切に配置されるような形状および寸法を有するように作製される。
【００２０】
一実施形態によれば、センサは、図４および図５に拡大して示すように概ね円盤状の形状を有する。この形状によれば、センサは、円形の基部の直径が互いに等しい２つの円筒セクション１２ａ，１２ｂを有し、それらの間には、中間円筒セクション１２ｃが介在する。中間円筒セクション１２ｃは、セクション１２ａ，１２ｂと同軸にあり、その基部の直径は、セクション１２ａ，１２ｂの基部の直径よりも小さい。端部１１ａにおいて、アームセクション１１と、センサ８のセクション１２ｃとが接続される。
【００２１】
図４および図５に示す実施例において、２つのセクション１２ａおよび１２ｂが互いに同じ形状および寸法を有するように見えるが、互いに異なる形状および寸法を有することもできる。特に、耳甲介内に挿入されるように設計された（耳介に対向し、耳介と接触する）セクション１２ｂの横方向すなわち耳に向かう方向における寸法は、反対側のセクション１２ａの横方向寸法よりも大きくてもよい。
【００２２】
この選択は、耳甲介の皮膚と接触する表面積をより大きくして最適な電気的接触を保証するセンサを作製する必要性によって、および／または例えば人間工学的特性が改善されたセンサが得られるように外耳道内のより深い部位まで延在するセンサを作製する必要性によって、動機づけられる。
【００２３】
また、センサの外側のセクション１２ａ，１２ｂは、必ずしも円形または円盤状でなくてもよい。例えば、卵形または楕円形の横方向の輪郭（耳または頭の側部から見た場合）、または耳にセンサを装着する際の快適さを高めるために耳甲介および耳介の形状にあわせた任意の形状を有する外側のセクション１２ａ，１２ｂを含むセンサを作製することもできる。
【００２４】
同様に、センサのセクション１２ｂの横方向の輪郭（頭の前側または後ろ側から見た場合）は、長方形でなくてもよい。例えば、耳に向けて凸状になっている円錐台形または半球形であってもよい。
【００２５】
一実施形態によれば、センサ８は、例えば導電性ゴムの射出成形によってアームセクション１１と一体に形成されることで得ることができる。
【００２６】
一実施形態によれば、センサ８、アームセクション１１および終端部分１０は、例えば導電性ゴムの射出成形によって互いに一体に形成されることで得ることができる。
【００２７】
一実施形態によれば、アーム終端部分１０には、導電性金属材料から形成されたまたは導電性金属材料でコーティングされたコア１４を収容することができる内側の空洞１３が有利に設けられる。
【００２８】
純粋に一例として、コア１４は、鋼から有利に形成され、その後、ガルバニックプロセスによって堆積された金の導電層がコーティングされてもよい。
【００２９】
導電性エラストマ材料（例えば導電性ゴム）から形成された終端部分１０は、射出成形プロセスによって、コア１４上にオーバーモールドされる。この導電性エラストマ材料は、センサが皮膚上で検出する電位に敏感であり、信号または電位を伝導して、金属のコアに伝達することができる。この場合、金属のコアは、導電体として機能する。
【００３０】
内側のコア１４は、アームの一部分９内で結合する枝部１５において、アームの一部分９に当接する終端部分１０の領域で延在する。また、コア１４は、枝部１５を介して、アームの一部分９内に設けられたハウジング１７によって受容される（図７に模式的に示す）電子ボードまたはモジュール１６と電気的に接続される。
【００３１】
一実施形態によれば、アームの一部分９は、終端部分１０を形成するエラストマ材料よりも低い変形能を有する、剛性タイプのプラスチック材料から形成される。
【００３２】
選択された金属材料の特徴および全体の形状によって、コア１４は、塑性変形を受けやすい。これにより、アーム終端部分１０は、「調整可能」すなわち使用者の頭の形状と適合するような適合性を有し、快適且つ安定した眼鏡の装着感を得ることができる。
【００３３】
実際、アーム終端部分１０が調整操作されると、コア１４は、塑性変形して、新しい形状を維持する傾向にある。その一方で、コア１４を囲むエラストマ（またはゴム）は、その弾性降伏によって、コアに加えられた曲げに続いて弾性的に変形する傾向にある。したがって、コアは、コアの剛性によって生成された新しい形状に制限される。
【００３４】
図２において、非動作位置にあるセンサ８を有する眼鏡１が、使用者の頭に装着された状態で示されており、鼻および耳の領域は模式的に示されている。図２に示す装着モードにおいて、アーム終端部分１０とセクション１１との両方が、耳の後ろの領域に配置される。代替的に、使用者が第２の装着モードを選択することができる。このモードにおいて、アーム終端部分１０が耳の後ろの頭の領域に配置され、アームセクション１１が耳の前の部分に配置される。実際、このモードが選択された場合、耳介の上部がアーム終端部分１０とアームセクション１１との間に介在する。
【００３５】
図７に示すように、枝部１５の結合部は、ハウジング１７内に突出するよう延在する。これにより、電子モジュール１６との電気的接続が可能になる。
【００３６】
アームの一部分９の空間内で画定されるハウジング１７は、アームの内側（使用者の頭に対向する側）で開口し、取り外し可能に結合すことができる閉鎖カバー１８を備える。
【００３７】
一実施形態によれば、一方のアーム６に設けられたハウジング１７は、電子モジュール１６を受容するように設計され、他方のアームに設けられたハウジングは、電子モジュールおよびセンサに電力を供給するバッテリ１９を受容するように設計される。好ましくは、バッテリ１９は、充電可能且つ取り外し不可能なタイプのものである。代替的に、取り外し可能なタイプのものであり得る。また、バッテリは、非充電式のものでもよく、この場合、電池が切れた際に交換できるように、必ず取り外し可能なタイプにする必要がある。
【００３８】
一実施形態によれば、導電性エラストマから形成されたセンサ８の表面導電率を高めるために、例えば導電性ワニスまたはインクを含む導電性コーティングを使用することもできる。
【００３９】
特定の要件に基づいて、センサの表面全体を導電性コーティングで覆うことができ、または皮膚と直接接触し且つより大きな表面導電率を必要とするセンサの表面の一部のみを特定して、部分的にのみコーティングを塗布することができる。
【００４０】
さらなる実施形態によれば、センサ８、アームセクション１１および終端部分１０は、導電性ゴムの熱圧縮成形によって互いに一体に形成されることで得ることができる。この場合、センサ８、アームセクション１１および終端部分１０から構成される構成要素は、アーム６上で組み立てられるように、分割して作製され得る。射出成形技術とは異なり、ゴムの熱圧縮成形技術では、金属材料から形成されたディテール（細部）およびプラスチック材料から形成されたディテールの上にゴム製構成要素の共成形またはオーバーモールドを行うことは、実際容易ではない。したがって、内側のコア１４を受容することができる内側の空洞１３が、終端部分１０においてくり抜かれるように形成される。例えば、熱圧縮成形によって得られるゴム製構成要素を形成した後に機械加工することで、内側の空洞１３を得ることができる。
【００４１】
このようにして、例えば弾性結合システムまたは圧入による結合手段によって、終端部分１０を、（事前にアーム６と一体化された）内側のコア１４に固定することができる。これにより、ゴムと内側のコア１４との間が電気的に接触することができる。代替的に、導電性の接着剤を使用することで、終端部分１０を内側のコア１４に固定することができる。これにより、ゴムと内側のコアとの間で電気信号を確実に送受信することができる。
【００４２】
さらなる実施形態によれば、センサ８、アームセクション１１および終端部分１０は、例えば導電性シリコンゴムのような導電性ゴムの流し込みによる成形によって一体に形成されることで得ることができる。ゴムの流し込みによる成形でも、金属材料から形成されたディテールやプラスチック材料から形成されたディテールの上に共成形またはオーバーモールドを行うことは容易ではないため、ゴムの熱圧縮成形に対応する場合の、上述した組み立てに関する考慮事項および解決策が同様に適用されることに留意されたい。
【００４３】
例えば図２および図３に示す実施形態において非動作位置に移動した場合にアーム終端部分１０上にセンサ８が保持されるシステムを再び参照すると、アーム終端部分１０は、アームセクション１１の端部１１ａと係合することができる座部２０を備える。好ましくは、座部２０は、スナップイン式の接続部または結合部を有する。詳細には、座部２０は、アーム終端部分の表面２１と、終端部分から突出して表面２１と対向するリップ構造２２との間で区切られた凹部によって画定される。リップ構造２２には、センサ８の中間セクション１２ｃが係合することができる、適切な曲率を有するくぼみ２３が設けられる。
【００４４】
アームセクション１１の端部１１ａを凹部２０に挿入すると、リップ部２２は、わずかに弾性的に変形し、表面２１から離れる方向に移動する。これにより、弾性戻りが生じて、センサのセクション１２ｃが凹部のくぼみ２３と結合するように移動したときに、センサが座部内でスナップイン式に接続および保持される。代替的に、リップ部２２に対して弾性的に変形するのは表面２１であってもよい。これにより、スナップイン式結合システムの弾性戻りが生じる。
【００４５】
図８および図８Ａに示す別の実施例において、座部２０は、終端部分１０を有するアームの一部分９との接続領域に隣接する位置において、アーム終端部分１０に設けられた実質的にＵ字形状の輪郭を有する凹部によって画定される。凹部の空洞は、アームの長手方向の延長方向に対して傾斜する方向に延在する。セクション１１の端部１１ａおよび特にセンサ８のセクション１２ｃは、弾性的な圧力結合によって、凹部と係合することができる。
【００４６】
図９および図９ａには、別の実施例が示されている。この場合も、座部２０は、センサ８のセクション１２ｃを受容および保持することができる凹部によって画定される。この場合、セクション１２ｃは、圧力による干渉によって結合される。この実施例は、凹部がより広いという点で、上述した実施例とは異なる。その広さは、上述した実施例のセンサが有する直径よりも大きい直径を有するセンサ８のセクション１２ｃの対応する直径に相関する。
【００４７】
凹部は、センサが座部に挿入される方向がアームの長手方向の延長方向を横切るように延在する。図１０および図１０Ａには、別の実施例が示されている。ここでは、凹部によって画定され、上述した実施例と同様の形状を有する座部２０は、センサが座部に挿入される方向がアームの長手方向の延長方向と実質的に平行に配向されるように構成される。この実施例においても、結合された部分間に弾性干渉を生じさせる圧入によって、結合を得ることができる。
【００４８】
図１１および図１１Ａの実施例を参照すると、アーム終端部分１０には、アームの一部分９との接続領域において、スロート部または溝２４が設けられる。溝２４は、アームセクション１１の端部セクションと相互結合しながらそれを受容するような寸法を有する。図２４の断面図に関連する一実施形態によれば、（スロート部の両側の壁の間に受容されるセクション１１との）圧力結合によるわずかな干渉によって、保持作用が確保される。また、図２５の断面図に関連する別の実施形態によれば、スロート部２４の口部において、スロート部２４内に突出する１つまたは複数の小さな歯部２４ａによって構成された弾性的なスナップイン式結合手段によって、保持作用が確保される。
【００４９】
上述した実施形態において、スロート部２４と係合するように設計されたセクション１１の一部分は、端部１１ａにおいてセンサ８の近傍まで好ましくは延在する。
【００５０】
図１２〜図１４は、さらなる実施形態に関連する。ここでは、上述した実施例とは異なり、センサ８には、凹部２５が設けられる。凹部２５は、アーム終端部分１０から突出する小さな歯または小さな舌のような形状を有する枝部２６と係合するように設計される。凹部２５と枝部２６との間のわずかな圧力による実質的な結合を伴う相互係合によって、アーム上でのセンサの保持作用が確保される。
【００５１】
図１５〜図１７に示すさらなる実施形態によれば、センサ８は、（センサと一体化された）貫通スロット２７を含む。スロットは、アーム終端部分１０内に突出するように設けられた（１つまたは複数の）歯部構造２８との結合によって、歯部構造２８に係合されるように設計される。好ましくは、歯部２８は、外から見えないように終端部分の内側に設けられる。有利には、スロット２７は、耳介内でのセンサの装着の快適さを損なわないような位置で、センサの外面輪郭に設けられる。図２６の断面図に関連する一実施形態によれば、１対の歯部構造２８が互いに対向するように設けられ、アーム終端部分１０の両側の側部２８ａ，２８ｂからそれぞれ突出する。
【００５２】
図２７の断面図に関連する別の実施形態によれば、単一の歯部構造２８が、一方の側部（２８ａ）から突出するように設けられる。
【００５３】
図１８〜図２３に示すさらなる実施形態によれば、センサ８は、円形開口３０の境界を画定するリング２９の形状を有する。参照符号２９ａは、リングの円筒状外殻の表面を示し、参照符号２９ｂは、両側の各側面を示す。これらの面２９ａ，２９ｂを介して、信号検出機能のための皮膚との電気的接触が行われる。
【００５４】
また、閉鎖された形状の輪郭を有するように形成された円形開口３０内において、センサ８とは異なる別の耳介用装置３１が取り外し可能に挿入および保持され得る。装置３１は、例えば、一般に音楽やオーディオコンテンツを聴くための従来型のイヤホンや、聴覚に関する問題を補正するため（例えば難聴者向け）の補助的音響装置であってよく、また、さらなる代替的に、耳栓として形成されてもよい。
【００５５】
あるいは、装置３１は、例えば体温センサのような真の生体パラメータセンサから構成され得る。
【００５６】
また、有利には、耳介用装置３１は、外耳道の開口に挿入および収容されるのに適した形状を有するように作製されてもよい。これは、例えば従来型のいわゆる「インイヤー」式の耳介用装置の構造を反映する。
【００５７】
図２１〜図２３には、それぞれ異なる形状を有する耳介用装置３１が示されている。これらの装置は、円筒面部３２を含むという共通点を有する。円筒面部３２は、装置３１がセンサ８上に支持されるように、例えばわずかな弾性干渉を伴う結合手段によって、開口３０と係合するように設計される。
【００５８】
追加的にまたは代替的に、センサ８と第２の装置３１とは、スナップイン式結合手段によって、係合および係合解除され得る。この場合、開口３０の輪郭および装置３１の直径部または外面には、例えば小さな歯部、凸部、凹部または溝等のような対応する構造が適切に設けられる。
【００５９】
小さな歯部、凸部、凹部または溝等のような局所的な構造を使用することは、センサ８内で装置３１をより安定して取り外し可能に固定するために役立ち、さらに、必要に応じて、センサ内で装置を正しく配置およびセンタリングするためのガイドとしても役立つことに留意されたい。これは、機能的または人間工学的な理由により、耳の内側で正確に配向される必要があるように装置３１が作製された場合に生じる可能性がある。
【００６０】
有利には、例えばいわゆるＷｉ−Ｆｉ技術のような無線モードで、耳介用装置３１と音源との接続が確立される。この場合、任意選択で、電源バッテリを耳介用装置３１に組み込むことができる。
【００６１】
また、耳介用装置３１が、電源バッテリと共に、聴覚に関する問題を補正するための補助機能を有する場合、このタイプの装置にとって典型的な構成要素がさらに組み込まれてもよい。典型的な構成要素とは、例えば、周辺環境の音を検出するためのマイク、増幅器、任意選択の音用処理部または演算部、装置のオン／オフを切り替えるための装置、および音量すなわち使用者の耳に伝達される音の強度を調整するための装置等である。
【００６２】
アーム上で非動作位置にセンサ８を保持するために、図１０および図１０Ａに示す実施例のものと全体的に類似する結合システムが設けられる。座部２０は、（耳介用装置３１を支持する）リング２９有するセンサ本体の円筒面２９ａを受容および保持する凹部によって画定される。わずかな圧力を伴って凹部にセンサを挿入することで、結合された表面が得られ、これらの表面の間のわずかな弾性干渉によって、保持作用を高めることができる。
【００６３】
アームセクション１１の柔軟性により、センサを座部２０の凹部から容易に取り外すことができ、図１８に示す非動作位置から図１８Ａに示す動作位置へ容易に移動することができる。センサは、動作位置において耳甲介内に配置され、これにより、電気信号を検出するために皮膚と接触することができ、同時に、それぞれの機能のために外耳道の近傍に耳介用装置３１を正しく配置することができる。
【００６４】
したがって、本実施形態によれば、センサ８は、生体機能を検出するだけでなく、真のセンサとして構成されていない第２の耳介用装置の支持体としても機能することが分かる。
【００６５】
本発明によって、上述した目的が達成され、既知の解決策と比較して記載された利点を得ることができる。
【００６６】
その主な利点は、本発明による眼鏡が、改善された装着感と、耳介内で耳介用センサが所望の位置に配置されるようなより良好な適応性とを提供するという事実にある。この利点は、単純化された構造および減らされた構成要素の数によって得ることもできる。また、この利点により、眼鏡を容易に製造および使用することもできる。
【００６７】
別の利点は、本発明による眼鏡では、センサが使用される動作位置から、センサが耳介から離れて、フレームの外観を損なうことなくアームの輪郭の内側に実質的に保持される非動作位置へ、容易に移動することができることにある。
【００６８】
さらに別の利点は、本発明による眼鏡では、信号の検出機能と他の異なる耳介用装置の支持機能とを、センサ自体に組み込むことで、センサの機能性を高めることができることにある。
【図１】
2020522756.tif 000003
【図２】
2020522756.tif 000004
【図３】
2020522756.tif 000005
【図４】
2020522756.tif 000006
【図５】
2020522756.tif 000007
【図６】
2020522756.tif 000008
【図７】
2020522756.tif 000009
【図８】
2020522756.tif 000010
【図８Ａ】
2020522756.tif 000011
【図９】
2020522756.tif 000012
【図９Ａ】
2020522756.tif 000013
【図１０】
2020522756.tif 000014
【図１０Ａ】
2020522756.tif 000015
【図１１】
2020522756.tif 000016
【図１１Ａ】
2020522756.tif 000017
【図１２】
2020522756.tif 000018
【図１２Ａ】
2020522756.tif 000019
【図１３】
2020522756.tif 000020
【図１４】
2020522756.tif 000021
【図１５】
2020522756.tif 000022
【図１５Ａ】
2020522756.tif 000023
【図１６】
2020522756.tif 000024
【図１７】
2020522756.tif 000025
【図１８】
2020522756.tif 000026
【図１８Ａ】
2020522756.tif 000027
【図１９】
2020522756.tif 000028
【図２０】
2020522756.tif 000029
【図２１】
2020522756.tif 000030
【図２２】
2020522756.tif 000031
【図２３】
2020522756.tif 000032
【図２４】
2020522756.tif 000033
【図２５】
2020522756.tif 000034
【図２６】
2020522756.tif 000035
【図２７】
2020522756.tif 000036
【国際調査報告】
2020522756.tif 000037
2020522756.tif 000038
2020522756.tif 000039
2020522756.tif 000040